(57)【要約】【課題】シート搬送ローラの周面に先端縁を当接してシート搬送ローラから異物を除去するブレードを備えた異物除去装置において、シート搬送ローラから除去された異物がブレード上に滞留するのを防止する。【解決手段】先端縁をシート搬送ローラの周面に当接してシート搬送ローラから異物を除去するブレードを、ブレード支持部材によりシート搬送ローラの回転中心軸に対して傾斜させて設け、ブレードにより除去した異物を収納する回収容器を、傾斜した前記ブレードの低い方の端部の下方に配置する。請求項１ないし７の何れか一つに記載の異物除去装置。【請求項９】請求項１から８の何れか一つに記載の異物除去装置を備えた画像形成装置。【選択図】  図２
2006027838.tif 000002
【特許請求の範囲】
【請求項１】
先端縁をシート搬送ローラの周面に当接してシート搬送ローラから異物を除去するブレードを有する異物除去装置において、
前記ブレードを、ブレード支持部材により前記シート搬送ローラの回転中心軸に対して傾斜させて設けたことを特徴とする異物除去装置。
【請求項２】
前記ブレードの前記先端縁は、前記シート搬送ローラの周面に沿う部分楕円形状であることを特徴とする請求項１記載の異物除去装置。
【請求項３】
前記ブレードにより除去した異物を収納する回収容器を有し、
前記回収容器は、傾斜した前記ブレードの低い方の端部の下方に配置されていることを特徴とする請求項１または２記載の異物除去装置。
【請求項４】
前記回収容器は、装置本体に対し着脱自在であることを特徴とする請求項１ないし３の何れか一つに記載の異物除去装置。
【請求項５】
前記ブレード支持部材の前記シート搬送ローラに対向する縁が、前記ブレードの先端縁と略等しい部分楕円形状であることを特徴とする請求項１ないし４の何れか一つに記載の異物除去装置。
【請求項６】
前記ブレードは導電性部材であることを特徴とする請求項１ないし５の何れか一つに記載の異物除去装置。
【請求項７】
前記ブレードには、直流電圧に交流電圧を重畳した電圧が印加されていることを特徴とする請求項６記載の異物除去装置。
【請求項８】
前記シート搬送ローラがレジストローラであることを特徴とする請求項１ないし７の何れか一つに記載の異物除去装置。
【請求項９】
請求項１から８の何れか一つに記載の異物除去装置を備えた画像形成装置。
【発明の詳細な説明】
【技術分野】
【０００１】
本発明は、シートから異物を除去する装置において、異物回収手段の同一箇所に異物が堆積しない構成を有した異物除去装置に関する。さらには、この異物除去装置を備えた画像形成装置に関する。
【背景技術】
【０００２】
複写機やプリンターなどの画像形成装置に用いられる転写シートには、一般的にタルク（滑石）等の添加剤が付与されているが、従来からシート給送部から感光体を含む画像形成部に用紙を搬送ローラで搬送する過程で、これら添加剤や紙粉などの異物がシートから搬送ローラに転移付着することにより、搬送ローラの摩擦係数が低下し用紙に対するスリップ率が高くなり搬送不良の原因となったり、異物が感光体表面に付着することにより画像不良等を起こすことが問題となる。また、省資源・リサイクルが活発に取り組まれるようになった近年、再生紙の利用比率が年々増加しているが、再生紙は一般的にタルク等の添加剤の量が多く、再生紙上の異物の量もバージン紙と比較して多い。このため、異物に起因するトラブルも以前と比べ多くなる傾向にある。
【０００３】
異物を除去する異物回収装置には、従来、様々なものが提案されている。例えば、特開２００２−３１１６６９号公報には、シートに直接当接して紙付着物を除去する紙付着物除去ローラと、この紙付着物除去ローラに付着した紙付着物を掻き落として回収する回収ブレードと、回収した紙付着物を収納する回収容器とからなる紙付着物除去装置により、紙粉を除去、回収する方法が記載されている。
【０００４】
【特許文献１】特開２００２−３１１６６９号公報
【発明の開示】
【発明が解決しようとする課題】
【０００５】
このようなローラにより除去した異物を回収する方法では、装置を使用していくに従って、異物を除去するローラと異物を回収する回収手段との間に異物が堆積していくという問題があり、ブレードの異物を回収する能力が徐々に劣化するおそれがある。異物回収能力の劣化によって回収されない異物は、ローラに再度付着することで上述のような搬送不良や画像不良の原因となる。
本発明は、上記事情を鑑みてなされたものであり、除去した異物が同一箇所に堆積することを防止することにより、経時における異物回収手段の異物回収能力の劣化を防ぐことを目的とし、ひいては画像形成装置の品質、信頼性を維持することを目的とする。
【課題を解決するための手段】
【０００６】
上記の目的を達成するために、請求項１の発明は、先端縁をシート搬送ローラの周面に当接してシート搬送ローラから異物を除去するブレードを有する異物除去装置において、前記ブレードを、ブレード支持部材により前記シート搬送ローラの回転中心軸に対して傾斜させて設けたことを特徴とする。
請求項２の発明は、請求項１記載の異物除去装置において、前記ブレードの前記先端縁が、前記シート搬送ローラの周面に沿う部分楕円形状であることを特徴とする。
請求項３の発明は、請求項１または２記載の異物除去装置において、前記ブレードにより除去した異物を収納する回収容器を有し、前記回収容器は、傾斜した前記ブレードの低い方の端部の下方に配置されていることを特徴とする。
請求項４の発明は、請求項１ないし３の何れか一つに記載の異物除去装置において、前記回収容器は、装置本体に対し着脱自在であることを特徴とする。
請求項５の発明は、請求項１ないし４の何れか一つに記載の異物除去装置において、前記ブレード支持部材の前記シート搬送ローラに対向する縁が、前記ブレードの先端縁と略等しい部分楕円形状であることを特徴とする。
請求項６の発明は、請求項１ないし５の何れか一つに記載の異物除去装置において、前記ブレードは導電性部材であることを特徴とする。
請求項７の発明は、請求項６記載の異物除去装置において、前記ブレードには、直流電圧に交流電圧を重畳した電圧が印加されていることを特徴とする。
請求項８の発明は、請求項１ないし７の何れか一つに記載の異物除去装置において、前記シート搬送ローラがレジストローラであることを特徴とする。
請求項９の発明は、請求項１から７の何れか一つに記載の異物除去装置を備えた画像形成装置にある。
【発明の効果】
【０００７】
本発明によれば、従来、異物除去装置において問題となっていたローラと異物回収手段との間に異物が堆積するのを防ぎ、経時における異物回収手段の異物回収能力の劣化を防止することができる。また、本発明の異物除去装置を画像形成装置に設けることで、用紙の搬送不良、画像不良を低減し、画像形成装置の品質、信頼性を維持することができる。
【発明を実施するための最良の形態】
【０００８】
以下、本発明の最良な実施の形態を添付図面に基づいて説明する。図１は、本発明を適用する複写機等画像形成装置の一例を示す概略図である。
図１において、画像形成装置１を構成する画像形成部２は、公知の電子写真方式のものであるので、その概略のみ説明する。感光ドラム４の表面に静電潜像を形成してこれを現像し、その画像をシートに転写し、その転写画像を定着部１２により定着するように構成されている。画像を定着されたシートは、排紙ローラ１４により排紙される。
【０００９】
画像形成部２の下方には、画像形成部２へ給送されるシートを積載する給送トレイ６を備えており、給送ローラ７によりシートを画像形成部２へ給送する。画像形成部２の右側には手差し用の給送トレイである手差しトレイ８が配置されており、画像形成可能な大きさ、かつ、給送トレイに収納不能なシートを給送可能としている。
給送トレイ６または手差しトレイ８から一枚ずつ送り出されるシートは、それぞれの搬送経路を経由し、レジストローラ１０を介して画像形成部２に給送される。本発明の異物除去装置１９は、レジストローラ１０に設けられている。
【００１０】
図２は、本発明の一実施例を示す異物除去装置を示す斜視図である。同図において、符号２０は、シート搬送ローラとしてのレジストローラ１０の周面にその先端縁２０ａを当接してレジストローラ１０から異物を除去するブレードを示す。ブレード２０は、導電処理を施された可撓性の樹脂製導電フィルムからなり、ブレード支持部材２１によりレジストローラ１０の回転中心軸に対して傾斜（図３の角度α）させた状態で装置本体に設けられる。
【００１１】
ローラを平面で斜めに切断したときのそのローラの断面形状は楕円であるから、レジストローラ１０の回転中心軸に対して傾斜させたブレード２０の先端縁２０ａは、レジストローラ１０の周面に沿う部分楕円形状となる。
ブレード支持部材２１は金属板で作られている。ブレード支持部材２１には、交流電源２２と直流電源２３が直列に接続されており、直流電圧に交流電圧を重畳した電圧がブレード２０に印加される。
【００１２】
図４に示すように、ブレード支持部材２１のレジストローラ１０に対向する縁２１ａを、ブレード２０の先端縁２０ａと略等しい部分楕円形状に形成することにより、ブレード２０の先端縁２０ａの、レジストローラ１０の周面に対する軸方向における当接力が均一化する。ブレード２０は、図５に示すように、水平面に対し傾斜（角度β）している。
【００１３】
図２、３において、ブレード２０の低い方の端部の下方には、ブレード２０によりレジストローラ１０から除去した異物を収納する回収容器２４が配置されている。回収容器２４は装置本体に対し着脱自在であって、その外側面には取っ手２４ａが設けられている。
ブレード２０の先端縁２０ａにより除去した紙粉などの異物は、ブレード２０上を低い方に向かって流れて回収容器２４内に落下収納される。
【００１４】
ブレード２０に直流電圧を印加することにより、レジストローラ１０上の異物がブレード２０に静電的に吸引され、また、直流電圧に交流電圧を重畳することにより、ブレード２０の先端縁２０ａに滞留しがちな異物に微振動を与えてブレード２０上での異物の流れを促進し異物の除去回収の向上を図る。
回収容器２４は、適時、画像形成装置外に取り出されて、回収異物に処理が行われる。
以上、本発明の好適な実施の形態に基づき具体的に説明したが、本発明は上記のものに限定されるものではなく、その要旨を逸脱しない範囲で種々の変更が可能であることは言うまでもない。
【図面の簡単な説明】
【００１５】
【図１】本発明を適用する画像形成装置の一例を示す側面概略図である。
【図２】本発明における異物除去装置の主要部を示す斜視図である。
【図３】本発明における異物除去装置の正面概略図である。
【図４】図３のＶ−Ｖ断面図である。
【図５】本発明における異物回収ブレードとその支持部材を示す斜視図である。
【符号の説明】
【００１６】
１      画像形成装置
２      画像形成部
１０       レジストローラ
１９    異物除去装置
２０    ブレード
２１    ブレード支持部材
２２    回収容器
【図１】
2006027838.tif 000003
【図２】
2006027838.tif 000004
【図３】
2006027838.tif 000005
【図４】
2006027838.tif 000006
【図５】
2006027838.tif 000007